(57)【特許請求の範囲】
【請求項１】
パワ−ショベルカ−のア−ム及びバケットシリンダの先端部に着脱でき、本体ケ−シングに内蔵した油圧モ−タと該油圧モ−タの回転軸に取り付けた回転刃によって雑草等を刈り取る構成の草刈り機であって、前記本体ケ−シング（１）の上部に三角形状のブラケット（２）を立設し、該ブラケット（２）の頂部に、パワ−ショベルカ−のア−ム（３）の先端部に回動可能に連結させるための第一貫通穴（ａ）を設け、前記ブラケット（２）の、前記本体ケ−シング（１）の前面側に位置する裾部に第二貫通穴（ｂ）を設け、該第二貫通穴（ｂ）に略Ｌ字状のフォ−ク（４）の短辺（ｄ）の先端部を回動可能に連結し、該略Ｌ字状のフォ−ク（４）の屈曲部（ｅ）に、長辺（ｆ）の先端部に、バケットシリンダ（５）の先端部及びバケットシリンダリンク部材（６）に回動可能に連結させるための貫通穴（７）を備えた略Ｌ字状のリンク部材（８）の短辺（ｇ）の先端部を回動可能に連結するとともに、前記ブラケット（２）の、前記本体ケ−シング（１）の背面側に位置する裾部に、前記バケットシリンダリンク部材（６）の一端（ｈ）を回動可能に連結させるための第三貫通穴（ｃ）を設けていることを特徴とするフ−ク付き草刈り機
【発明の詳細な説明】
【技術分野】
【０００１】
本発明は、パワ−ショベルカ−からバケットを取り外した後に装着し、堤・溝・丘陵地等に繁茂している雑草等を刈り取り、寄せ、掴み、運搬車輌に積み込むことができるフォ−ク付き草刈り機に関するものである。
【背景技術】
【０００２】
従来、パワ−ショベルカ−のア−ム及びバケットシリンダの先端部に着脱可能に装着でき、本体ケ−シングに内蔵した油圧モ−タと該油圧モ−タの回転軸に取り付けた回転刃によって雑草等を刈り取る構成の草刈り機は、すでに実用化されている（例えば、特許文献１及び非特許文献１参照。）。
【０００３】
しかし、前記従来のものは、刈り取った雑草等を寄せ、掴むために、別置の油圧シリンダで作動するフォ−クが設置されていたので、次のような問題点があった。
（１）フォ−クを作動させるために、フォ−ク作動専用の油圧シリンダを設置しているので、構造が複雑であった。
（２）フォ−ク作動専用の油圧シリンダを設置しているので、高価であった。
（３）フォ−クを作動させるためには、一旦草刈り機を止め、草刈り作業を中断し、油圧系をフォ−クシリンダ側へ切換なければならなかったので、刈り取り、寄せ、掴み、積み込みの一連の作業を連続して行うことができなかった。
【０００４】
【特許文献１】特開２００２−３３５７３３号公報
【非特許文献１】株式会社エムエ−シ−のカタログ「草刈りフォ−クブッシュマン」
【発明の開示】
【発明が解決しようとする課題】
【０００５】
この発明は、背景技術で記述した問題点を解消するためになされたもので、フォ−ク作動専用油圧シリンダの設置の必要がなく、構造が簡単で安価なフォ−ク付き草刈り機の提供を目的とするものである。
【課題を解決するための手段】
【０００６】
この発明のフォ−ク付き草刈り機は、パワ−ショベルカ−のア−ム及びバケットシリンダの先端部に着脱でき、本体ケ−シングに内蔵した油圧モ−タと該油圧モ−タの回転軸に取り付た回転刃によって雑草等を刈り取る構成の草刈り機であって、前記本体ケ−シングの上部に三角形状のブラケットを立設し、該ブラケットの頂部に、パワ−ショベルカ−のア−ムの先端部に回動可能に連結させるための第一貫通穴を設け、前記ブラケッの、前記本体ケ−シングの前面側に位置する裾部に第二貫通穴を設け、該第二貫通穴に略Ｌ字状のフォ−クの短辺の先端部を回動可能に連結し、該略Ｌ字状のフォ−クの屈曲部に、長辺の先端部に、バケットシリンダの先端部及びバケットシリンダリンク部材に回動可能に連結させるための貫通穴を備えた略Ｌ字状のリンク部材の短辺の先端部を回動可能に連結するとともに、前記ブラケットの、前記本体ケ−シングの背面側に位置する裾部に、前記バケットシリンダリンク部材の一端を回動可能に連結させるための第三貫通穴を設けていることを特徴とするものである。
【発明の効果】
【０００７】
この発明は上述のように構成されているので、次のような効果を奏する。
（１）フォ−ク作動専用の油圧シリンダが不要であるので、構造が簡単である。
（２）フォ−ク作動専用の油圧シリンダが不要であるので、安価である。
（３）雑草等の刈り取り、寄せ、掴み、運搬車輌への積み込みの一連の作業を一台のパワ−ショベルカ−でスピ−ディに処理できる。
（４）したがって、作業能率が向上する。
【発明を実施するための最良の形態】
【０００８】
フォ−ク作動専用の油圧シリンダの設置の必要がなく、構造が簡単で安価なフォ−ク付き草刈り機の提供という目的を、三角形状のブラケット、略Ｌ字状のフォ−ク、略Ｌ字状のリンク部材の組み合せにより実現できた。
【実施例】
【０００９】
この発明の実施の態様を図面を参考しながら説明する。パワ−ショベルカ−のア−ム及びバケットシリンダの先端部に着脱でき、本体ケ−シングに内蔵した油圧モ−タと該油圧モ−タの回転軸に取り付られた回転刃によって雑草等を刈り取る構成の草刈り機であって、図１に示すように、本体ケ−シング１の上部に三角形状のブラケット２を立設している。
【００１０】
ブラケット２の頂部に、図１に示すように、パワ−ショベルカ−のア−ム３の先端部に回動可能に連結させるための第一貫通穴ａを設けている。
【００１１】
ブラケット２の、図示は省略したパワ−ショベルカ−の運転席に対向する本体ケ−シング１の前面側に位置する裾部に、図１に示すように、第二貫通穴ｂを設け、該第二貫通穴ｂに略Ｌ字状のフォ−ク４の短辺ｄの先端部を回動可能に連結している。
【００１２】
該略Ｌ字状のフォ−ク４の屈曲部ｅに、図１に示すように、長辺ｆの先端部に、バケットシリンダ５の先端部及びバケットシリンダリンク部材６に回動可能に連結させるための貫通穴７を備えた略Ｌ字状のリンク部材８の短辺ｇの先端部を回動可能に連結している。なお、バッケトシリンダリンク部材６は、図２に示すように、パワ−ショケベルルカ−のア−ム３とバケットシリンダ５に回動可能に取付けられている略ヘの字状の部材である。
【００１３】
ブラケット２の、本体ケ−シング１の背面側に位置する裾部に、バケットシリンダリンク部材６の一端ｈを回動可能に連結させるための第三貫通穴ｃを設けている。
【００１４】
本願の草刈り機をパワ−ショベルカ−に装着するには、まずパワ−ショベルカ−からバケットを取り外し、図２に示すように、バッケトシリンダリンク部材６だけを残した状態にする。
【００１５】
ついで、ア−ム３の前端部を、図３に示すように、ブラケット２の第一貫通穴ａに回動可能に連結する。バッケトシリンダリンク部材６の一端ｈを、図３に示すように、ブラケット２の第三貫通穴ｃに回動可能に連結する。略Ｌ字状のリンク部材８の貫通穴７を、図３に示すように、バケットシリンダ５の先端部及びバケットシリンダリンク部材６に回動可能に連結し、本願の草刈り機の装着は終了する。
【００１６】
このとき、図３に示すように、本体ケ−シング１が直立の姿勢のときに、略Ｌ字状のフォ−ク４と本体ケ−シング１の前面との間に所定の空隙ができるように、略Ｌ字状のフォ−ク４と略Ｌ字状のリンク部材８の寸法及び形状を設定している。
【００１７】
所定の空隙とは、本体ケ−シング１を略Ｌ字状のフォ−ク４側に回動させたとき、刈り取った雑草等を掴み込むための空間である。
【００１８】
本願の草刈り機は、図４の動作状態のシミュレ−ションから分かるように、略Ｌ字状のフォ−ク４の回動を可及的に抑制し、本体ケ−シング１を回動させることにより、雑草等を掴む方式であり、図４（ａ）は本体ケ−シング１が直立の姿勢で、草刈り状態であり、図４（ｂ）はバケットシリンダ５を縮めて、本体ケ−シング１を左方向に開き、刈り取った雑草等を寄せる状態である。
【００１９】
図４（ｂ）から分かるように、本体ケ−シング１は、左側に大きく開くが、略Ｌ字状のフォ−ク４は、殆ど回動しない。これは、略Ｌ字状のリンク部材８の短辺ｇの先端部が略Ｌ字状のフォ−ク４の屈曲部ｅに回動可能に連結されているので、略Ｌ字状のリンク部材８からの力が略Ｌ字状のフォ−ク４へ殆ど伝わらないためである。また、本体ケ−シング１はブラッケト２の頂部の第一貫通穴ａを支点として回転するので、回転半径が大きいため、左側に大きく開く。
【００２０】
図４（ｃ）は、バケットシリンダ５を伸ばして、本体ケ−シング１を右方向に回動させた掴み状態であり、刈り取った雑草等は、前記所定の空隙部に掴み込まれる。なお、図１、図３において、９は草刈り用の回転刃である。
【産業上の利用可能性】
【００２１】
パワショベルカ−に着脱が可能で、刈る、寄せる、掴む、積み込むの一連の作業を一台で処理できる草刈り機としての利用が可能である。
【図面の簡単な説明】
【００２２】
【図１】発明の一実施例を示す側面図
【図２】パワショベルカ−からバッケトを外したア−ム及びバッケトシリンダの先端部の状態を示す概略説明図
【図３】パワショベルカ−に装着した状態を示す側面図
【図４】動作状態の概略シミュレ−ション
【符号の説明】
【００２３】
１ 本体ケ−シング
２ ブラケット
３ ア−ム
４ 略Ｌ字状のフォ−ク
５ バケットシリンダ
６ バケットシリンダリンク部材
７ 貫通穴
８ 略Ｌ字状のリンク部材
９ 草刈り用の回転刃
ａ 第一貫通穴
ｂ 第二貫通穴
ｃ 第三貫通穴
ｄ 略Ｌ字状のフォ−クの短辺
ｅ 略Ｌ字状のフォ−クの屈曲部
ｆ 略Ｌ字状のリンク部材の長辺
ｇ 略Ｌ字状のリンク部材の短辺
ｈ バケットシリンダリンク部材の一端
【要約】
【課題】フォ−ク作動専用シリンダの設置の必要がなく、構造が簡単で安価なフォ−ク付き草刈り機の提供
【解決手段】本体ケ−シング１の上部に三角形状のブラケット２を立設し、ブラケット２の頂部に、パワ−ショベルカ−のア−ム３の先端部に回動可能に連結させるための第一貫通穴を設け、ブラケット２の、本体ケ−シング１の前面側に位置する裾部に第二貫通穴を設け、第二貫通穴に略Ｌ字状のフォ−ク４の短辺の先端部を回動可能に連結し、略Ｌ字状のフォ−ク４の屈曲部に、長辺の先端部に、バケットシリンダ５の先端部及びバケットシリンダリンク部材６に回動可能に連結させるための貫通穴７を備えた略Ｌ字状のリンク部材８の短辺の先端部を回動可能に連結し、ブラケット２の、本体ケ−シング１の背面側に位置する裾部に、バケットシリンダリンク部材６の一端を回動可能に連結させるための第三貫通穴を設けている。
【選択図】 図１
【図１】
0003641635.tif 000002
【図２】
0003641635.tif 000003
【図３】
0003641635.tif 000004
【図４】
0003641635.tif 000005